(57)【要約】      （修正有）【課題】多少汚れても容易にケーブルの種類を識別可能な敷設ケーブル用管理銘板を提供する。【解決手段】電力線、制御線、通信線、接地線、及び光ファイバー線の１以上のケーブル１８〜２３に用いる敷設ケーブル用管理銘板１０ａ〜１０ｆであって、ケーブルの外周に沿って設けられ、かつケーブルの種類に応じて色彩が異なる。管理銘板は、矩形状であり、四隅には周囲の辺から隙間を有して小孔が設けられ、小孔を通る結束線２５，２６によってケーブルに取付けられている。また管理銘板は、表側が複数の領域に区分されて、各領域が異なる色彩に着色されていてもよい。【選択図】図２
0003187945.tif 000002
【実用新案登録請求の範囲】
【請求項１】
電力線、制御線、通信線、接地線、及び光ファイバー線の１以上のケーブルに用いる敷設ケーブル用管理銘板であって、
前記ケーブルの外周に沿って設けられ、かつ前記ケーブルの種類に応じて色彩が異なることを特徴とする敷設ケーブル用管理銘板。
【請求項２】
請求項１記載の敷設ケーブル用管理銘板において、前記ケーブルは複数本が並べて配置されていることを特徴とする敷設ケーブル用管理銘板。
【請求項３】
請求項１又は２記載の敷設ケーブル用管理銘板において、矩形状となって、四隅には周囲の辺から隙間を有して小孔が設けられ、該小孔を通る結束線によって前記各ケーブルに取付けられていることを特徴とする敷設ケーブル用管理銘板。
【請求項４】
請求項１〜３のいずれか１項に記載の敷設ケーブル用管理銘板において、表側が複数の領域に区分されて、該各領域が異なる色彩に着色されていることを特徴とする敷設ケーブル用管理銘板。
【考案の詳細な説明】
【技術分野】
【０００１】
本考案は、構内に敷設される電力線、制御線、通信線、接地線、光ファイバー線等のケーブルの敷設後の現場管理において、異なる色彩を用い、簡単な目視によってケーブルの種別を判別できる敷設ケーブル用管理銘板に関する。
【背景技術】
【０００２】
従来、例えば、高速道路等のトンネル等の諸設備においては、特許文献１に記載されているように、トンネル内にカメラ一体型の火災検知機を設置し、その映像信号を光信号に変えて光ファイバーで伝送することが行われている。また、特許文献２に記載のように、トンネル内に消火設備を配置する場合は、トンネル内に外部から電力線の他に光ファイバー線、制御線を配線している。
【０００３】
電力線、通信線、接地線、光ファイバー線及び制御線には、通常外側を丈夫な合成樹脂製又はゴム製の被覆材で覆ったケーブルが使用されて、外観は同一色の略同一形状をしている。これらのケーブルは、各ケーブルの区別をするために、ケーブル毎に、１）設備名称、２）ケーブル種別、３）竣工年月、４）施工会社名等を記載した銘板が設けられている。
【先行技術文献】
【特許文献】
【０００４】
【特許文献１】特開２００７−２５７５６９号公報
【特許文献２】特開２００７−７３８０号公報
【考案の概要】
【考案が解決しようとする課題】
【０００５】
しかしながら、従来の銘板は白色の合成樹脂に、取り付けられたケーブルの概要を示す文字が記載又は彫り込まれているのみであるので、例えば、トンネル内で照明無しでは識別が困難であり、更には周囲の油、泥等によって汚れている場合は文字の識別が容易でなく、場合によっては間違えて切断する等の事故が発生する恐れがあった。
【０００６】
本考案はかかる事情に鑑みてなされたもので、多少の光は必要であるが、多少汚れても容易にケーブルの種類が判別でき、更にケーブルの用途、種別、施工日等の施工に関する情報が判読できる敷設ケーブル用管理銘板を提供することを目的とする。
【課題を解決するための手段】
【０００７】
第１の考案に係る敷設ケーブル用管理銘板は、電力線、制御線、通信線、接地線、及び光ファイバー線の１以上のケーブルに用いる敷設ケーブル用管理銘板（以下、単に「銘板」とも称する）であって、前記ケーブルの外周に沿って設けられ、かつ前記ケーブルの種類に応じて色彩が異なる。
構内では、電力線、制御線、通信線、接地線、光ファイバー線等の多数のケーブルが並べて敷設されることが多く、ケーブルの外周に取付ける銘板の色彩をケーブルの種類に応じて変えると、外観からケーブルの種類を判別できる。
【０００８】
ここで、銘板は、高輝度蓄光塗料、加工顔料（ドライカラー、ビードカラー）、マスターバッチ（高濃度着色樹脂）等を用いて着色するのがよい。
なお、ここでの色彩は白、黒、灰色等の無彩色を除外するものではないが、複数の種類の銘板には必ず有彩色を含むものとする。例えば、イ）明るい赤、ロ）黄色、ハ）明るい緑、ニ）明るい青の組合せ、場合によっては、更にホ）白等を含む場合もある。
また、銘板に記載する文字は凹凸模様（彫り込み、焼き付け）で形成するのが好ましいが、銘板上に平面的に筆やレーザー等で記載するものであってもよい。この場合、銘板の文字の色彩とその周囲（背景）の色彩とは補色の関係を有するのが好ましい。また、文字と背景の色彩は明度の差があるのが更に好ましい。
【０００９】
第２の考案に係る敷設ケーブル用管理銘板は、第１の考案に係る敷設ケーブル用管理銘板において、前記ケーブルは複数本が並べて配置されている。これによって、複数のケーブルの種類を区別できる。
【００１０】
第３の考案に係る敷設ケーブル用管理銘板は、第１、第２の考案に係る敷設ケーブル用管理銘板において、矩形状となって、四隅には周囲の辺から隙間（例えば、２．５〜５ｍｍ）を有して小孔（例えば、直径が３〜５ｍｍ）が設けられ、該小孔を通る結束線によって前記各ケーブルに取付けられている。
【００１１】
なお、前記結束線は、１）前記ケーブルに装着された前記銘板の円周方向中央部を除く円周方向両側部を前記ケーブルの表面に押圧してもよいし、２）前記ケーブルに装着された前記銘板の円周方向両側部を除く円周方向中央部を前記ケーブルの表面に押圧してもよい。
【００１２】
第４の考案に係る敷設ケーブル用管理銘板は、第１〜第３の考案に係る敷設ケーブル用管理銘板において、表側が複数の領域に区分されて、該各領域が異なる色彩に着色されている。
【００１３】
なお、銘板として、合成樹脂板（例えば、アクリル板）を用いてもよいが、軟質塩化ビニール又は高輝度蓄光式板を採用するのがよい。
また、銘板にはケーブルの仕様、及び竣工年月、会社名が記載されるのが通常であり、これらの記載は、前述の通り凹凸模様（例えば、彫り込み等によって形成される凹文字）を有する文字が好ましいが、銘板に一体化する樹脂等を用いた文字であってもよい。この場合、当然のことながら、銘板とは異なる色彩を使用する。
【考案の効果】
【００１４】
本考案に係る敷設ケーブル用管理銘板は、電力線、制御線、通信線、接地線、光ファイバー線等の１以上のケーブルに用いる敷設ケーブル用管理銘板であって、ケーブル（即ち、電線）には、このケーブルの種類に応じて色彩の異なる銘板が設けられているので、経年変化があって文字が読めなくなっても、その銘板の色によってケーブルの種類が一目で特定できる。例えば、銘板が油や泥等によって汚染された場合であっても、銘板の表面の付着物を拭い取ることによって、銘板の色彩が分かり、ケーブルの種類が認識できる。
【００１５】
特に、銘板の四隅に周囲の辺から隙間を有して小孔が設けられ、小孔を通る結束線によって銘板が各ケーブルに取付けられている場合は、簡単に銘板の取付けができる。
【００１６】
また、結束線をケーブルに装着された銘板の円周方向中央部を除く円周方向両側部をケーブルの表面に押圧するようにした場合は、銘板の円周方向両側の返り（捲り）を極力なくして工事が行える。
【００１７】
そして、結束線をケーブルに装着された銘板の円周方向両側部を除く円周方向中央部をケーブルの表面に押圧するようにした場合は、銘板の中央部を押圧して銘板を確実にケーブルに装着できる。
【００１８】
銘板の表側が異なる色彩に着色された複数の領域に区分されている場合には、更に多種類の銘板ができると共に、その領域への記載事項を特定して幅広い用途が可能である。
なお、以上の考案において、銘板はケーブルに沿って湾曲可能な軟質塩化ビニール又は暗部でも視認性に優れる高輝度蓄光式板であることが好ましく、これによって着色も容易で安価に銘板を製造できる。
【図面の簡単な説明】
【００１９】
【図１】本考案の第１の実施の形態に係る敷設ケーブル用管理銘板を示す斜視図である。
【図２】同敷設ケーブル用管理銘板の具体例を示す斜視図である。
【図３】同敷設ケーブル用管理銘板の平面図である。
【図４】本考案の第２の実施の形態に係る敷設ケーブル用管理銘板の平面図である。
【考案を実施するための形態】
【００２０】
続いて、添付した図面を参照しながら、本考案を具体化した実施の形態について説明する。
図１〜図３に示すように、本考案の第１の実施の形態に係る敷設ケーブル用管理銘板（「銘板」とも称する）１０は、ケーブル１１の外周にそって湾曲可能で、例えば、縦が３５〜５０ｃｍで、横が５０〜７０ｃｍの矩形状となっているが、一般には装着するケーブル１１の太さによって異なり、ケーブル１１の円周角３６０度に対して１２０〜１８０度程度の縦寸法が好ましい。横寸法は、縦寸法の約１．２〜１．８倍程度が好ましい。ここで、縦とは銘板１０をケーブル１１に装着した場合、円周方向の長さをいい、横とは銘板１０をケーブル１１に装着した場合ケーブル１０の長さ方向の長さをいう。
【００２１】
銘板１０の厚みは、例えば０．８〜１．２ｍｍ程度となって、軟質塩化ビニール、アクリル等の合成樹脂板、又は高輝度蓄光式板を使用するのが好ましいが、場合によっては、耐水性、耐酸性及び耐アルカリ性を有してある程度屈曲性を有する他の合成樹脂（例えば、ナイロン、ポリプロピレン、フッ素樹脂、ＰＥＥＫ）等であってもよい。
【００２２】
銘板１０の例えば、原料となる樹脂は所定の色に着色されている。この場合、構内例えばトンネル内に並べて配置されるケーブルの種類（例えば、電力線、制御線、通信線、接地線、光ファイバー線等）によって異なる色彩（有彩色）で着色されている。合成樹脂の着色方法は従来技術が使用され、加工顔料（ドライカラー、ビードカラー）法、マスターバッチ（高濃度着色樹脂）法等によって行える。
【００２３】
着色する色は、例えば、高圧電力線ケーブルに使用する銘板については「赤色又はピンク色」、光ファイバー線ケーブルに使用する銘板については「黄色」、接地線のケーブルについては、「緑色」等があるが、できるだけ明るい色にするのが好ましい。この場合の明るさは、カラー色を白黒変換して、反射光を計って白色に対し６０％以上の明るさを有するようにするのが好ましいが、必須の要件ではない。なお、文字の部分又は背景の部分に蛍光、燐光等を発揮する材料（高輝度蓄光材）を使用することもできる。
【００２４】
このように銘板の色彩を明るくすることによって、表面に記載した文字（通常、黒）の色彩が浮き上がり、文字を読む必要がある場合の視認性が増すという利点がある。
なお、銘板１０の四隅には、４つの角部（即ち、周囲の辺）から隙間ｓ（例えば、２．５〜５ｍｍ）を有して直径が３〜５ｍｍの小孔１３〜１６が設けられている。そして、図３に示すように、銘板１０の表面で、両側を除く上位置から下位置にかけて、例えば、１）設備名称、２）ケーブル種別（例えば、「電力線」、「制御線」、「通信線」、「接地線」、「光ファイバー線」と記載）、３）区間名、４）竣工年月、５）会社名等が記載されている。
【００２５】
なお、この１）〜５）のいずれかを省略すること、行を変えること、更に別の記載（文字、記号）を加えることは自由である。また、これらの文字や記号は、銘板１０に彫り込むのが好ましいが、銘板は有彩色で色分けできるので、消えにくい特殊インク（例えば、黒色合成樹脂）等を用いて筆書きであってもよい。
【００２６】
以上の銘板１０に示すような基本的構造を有する銘板１０ａ〜１０ｆを、図２に示すように、並べて配置された複数のケーブル１８〜２３（基本的にはケーブル１１と同様）に樹脂製の結束線（インシュロック）２５、２６を用いてそれぞれ固定する。この場合、上下に対となる小孔１３、１４及び小孔１５、１６にそれぞれ結束線２５、２６を通して、かしめ固定する。結束線２５、２６は通常の白色系統のものを使用してもよいが、銘板１０ａ〜１０ｆと同一の色彩のもの、又は銘板１０ａ〜１０ｆの色彩と異なる色彩のものを使用することができる。
【００２７】
ここで、図２においては、結束線２５、２６は銘板１０ａ〜１０ｆの円周方向両端部２８、２９を除く円周方向中央部３０をケーブル１８〜２３に押圧している。これによって、銘板１０ａ〜１０ｆの主要部をケーブル１８〜２３に押圧固定することができるが、場合によっては、図１に示すように結束線２５、２６で銘板１０の円周方向中央部３０を除く、円周方向両端部２８、２９を押圧するようにすることもできる。これによって、銘板１０の円周方向両側部２８、２９をケーブル１１に押圧し、銘板１０の円周方向両端部２８、２９の捲れを防止できる。
【００２８】
図４には、本考案の第２の実施の形態に係る敷設ケーブル用管理銘板３３を示すが、複数の領域３４〜３６に渡って異なる色彩の樹脂板が使用されている。異なる色彩の銘板３３を作成することは困難であるので、白色の合成樹脂板からなる裏板の表面に色彩板を貼り付け、又は色彩を有する樹脂を厚く塗布して構成するのが好ましい。
勿論、領域３４〜３６には異なる仕様が記載されている。これによっても、一目でケーブルの種類を確認できる。
【００２９】
本考案は前記した実施の形態に限定されるものではなく、本考案の要旨を変更しない範囲でその構成を変更することもできる。例えば、銘板の縦横の長さ、具体的色彩等が前記実施の形態に限定されない。
前記実施の形態においては、複数種類のケーブルを用いたが、一種類のケーブルのみが配置されて、そのケーブルに上記した記載事項を記載した銘板を設ける場合も本考案は適用される。
【符号の説明】
【００３０】
１０、１０ａ〜１０ｆ：銘板、１１：ケーブル、１３〜１６：小孔、１８〜２３：ケーブル、２５、２６：結束線、２８、２９：円周方向端部、３０：円周方向中央部、３３：銘板、３４〜３６：領域
【図１】
0003187945.tif 000003
【図２】
0003187945.tif 000004
【図３】
0003187945.tif 000005
【図４】
0003187945.tif 000006
【手続補正書】
【提出日】平成25年10月16日(2013.10.16)
【手続補正１】
【補正対象書類名】実用新案登録請求の範囲
【補正対象項目名】全文
【補正方法】変更
【補正の内容】
【実用新案登録請求の範囲】
【請求項１】
電力線、制御線、通信線、接地線、及び光ファイバー線の１以上のケーブルであって、
前記ケーブルの外周に沿って設けられ、かつ前記ケーブルの種類に応じて色彩が異なる敷設ケーブル用管理銘板を備えたことを特徴とするケーブル。
【請求項２】
前記ケーブルは複数本が並べて配置されていることを特徴とする請求項１に記載のケーブル。
【請求項３】
前記敷設ケーブル用管理銘板は、矩形状であって、四隅には周囲の辺から隙間を有して小孔が設けられ、該小孔を通る結束線によって前記ケーブルに取付けられていることを特徴とする請求項１又は２に記載のケーブル。
【請求項４】
前記敷設ケーブル用管理銘板は、表側が複数の領域に区分されて、該各領域が異なる色彩に着色されていることを特徴とする請求項１〜３のいずれか１項に記載のケーブル。
【手続補正２】
【補正対象書類名】明細書
【補正対象項目名】全文
【補正方法】変更
【補正の内容】
【考案の詳細な説明】
【技術分野】
【０００１】
本考案は、構内に敷設される電力線、制御線、通信線、接地線、光ファイバー線等のケーブルであって、異なる色彩を用いた敷設ケーブル用管理銘板を備えて、敷設後の現場管理において、簡単な目視によって種別を判別できるケーブルに関する。
【背景技術】
【０００２】
従来、例えば、高速道路等のトンネル等の諸設備においては、特許文献１に記載されているように、トンネル内にカメラ一体型の火災検知機を設置し、その映像信号を光信号に変えて光ファイバーで伝送することが行われている。また、特許文献２に記載のように、トンネル内に消火設備を配置する場合は、トンネル内に外部から電力線の他に光ファイバー線、制御線を配線している。
【０００３】
電力線、通信線、接地線、光ファイバー線及び制御線には、通常外側を丈夫な合成樹脂製又はゴム製の被覆材で覆ったケーブルが使用されて、外観は同一色の略同一形状をしている。これらのケーブルは、各ケーブルの区別をするために、ケーブル毎に、１）設備名称、２）ケーブル種別、３）竣工年月、４）施工会社名等を記載した銘板が設けられている。
【先行技術文献】
【特許文献】
【０００４】
【特許文献１】特開２００７−２５７５６９号公報
【特許文献２】特開２００７−７３８０号公報
【考案の概要】
【考案が解決しようとする課題】
【０００５】
しかしながら、従来の銘板は白色の合成樹脂に、取り付けられたケーブルの概要を示す文字が記載又は彫り込まれているのみであるので、例えば、トンネル内で照明無しでは識別が困難であり、更には周囲の油、泥等によって汚れている場合は文字の識別が容易でなく、場合によっては間違えて切断する等の事故が発生する恐れがあった。
【０００６】
本考案はかかる事情に鑑みてなされたもので、多少の光は必要であるが、多少汚れても容易に種類が判別でき、更に用途、種別、施工日等の施工に関する情報が判読できる敷設ケーブル用管理銘板を備えたケーブルを提供することを目的とする。
【課題を解決するための手段】
【０００７】
第１の考案に係るケーブルは、電力線、制御線、通信線、接地線、及び光ファイバー線の１以上のケーブルであって、
前記ケーブルの外周に沿って設けられ、かつ前記ケーブルの種類に応じて色彩が異なる敷設ケーブル用管理銘板（以下、単に「銘板」とも称する）を備えている。
構内では、電力線、制御線、通信線、接地線、光ファイバー線等の多数のケーブルが並べて敷設されることが多く、ケーブルの外周に取付ける銘板の色彩をケーブルの種類に応じて変えると、外観からケーブルの種類を判別できる。
【０００８】
ここで、銘板は、高輝度蓄光塗料、加工顔料（ドライカラー、ビードカラー）、マスターバッチ（高濃度着色樹脂）等を用いて着色するのがよい。
なお、ここでの色彩は白、黒、灰色等の無彩色を除外するものではないが、複数の種類の銘板には必ず有彩色を含むものとする。例えば、イ）明るい赤、ロ）黄色、ハ）明るい緑、ニ）明るい青の組合せ、場合によっては、更にホ）白等を含む場合もある。
また、銘板に記載する文字は凹凸模様（彫り込み、焼き付け）で形成するのが好ましいが、銘板上に平面的に筆やレーザー等で記載するものであってもよい。この場合、銘板の文字の色彩とその周囲（背景）の色彩とは補色の関係を有するのが好ましい。また、文字と背景の色彩は明度の差があるのが更に好ましい。
【０００９】
第２の考案に係るケーブルは、第１の考案に係るケーブルにおいて、前記ケーブルは複数本が並べて配置されている。これによって、複数のケーブルの種類を区別できる。
【００１０】
第３の考案に係るケーブルは、第１、第２の考案に係るケーブルにおいて、前記敷設ケーブル用管理銘板は、矩形状であって、四隅には周囲の辺から隙間（例えば、２．５〜５ｍｍ）を有して小孔（例えば、直径が３〜５ｍｍ）が設けられ、該小孔を通る結束線によって前記ケーブルに取付けられている。
【００１１】
なお、前記結束線は、１）前記ケーブルに装着された前記銘板の円周方向中央部を除く円周方向両側部を前記ケーブルの表面に押圧してもよいし、２）前記ケーブルに装着された前記銘板の円周方向両側部を除く円周方向中央部を前記ケーブルの表面に押圧してもよい。
【００１２】
第４の考案に係るケーブルは、第１〜第３の考案に係るケーブルにおいて、前記敷設ケーブル用管理銘板は、表側が複数の領域に区分されて、該各領域が異なる色彩に着色されている。
【００１３】
なお、銘板として、合成樹脂板（例えば、アクリル板）を用いてもよいが、軟質塩化ビニール又は高輝度蓄光式板を採用するのがよい。
また、銘板にはケーブルの仕様、及び竣工年月、会社名が記載されるのが通常であり、これらの記載は、前述の通り凹凸模様（例えば、彫り込み等によって形成される凹文字）を有する文字が好ましいが、銘板に一体化する樹脂等を用いた文字であってもよい。この場合、当然のことながら、銘板とは異なる色彩を使用する。
【考案の効果】
【００１４】
本考案に係るケーブルは、電力線、制御線、通信線、接地線、及び光ファイバー線の１以上のケーブル（即ち、電線）であって、このケーブルの種類に応じて色彩の異なる銘板が設けられているので、経年変化があって文字が読めなくなっても、その銘板の色によってケーブルの種類が一目で特定できる。例えば、銘板が油や泥等によって汚染された場合であっても、銘板の表面の付着物を拭い取ることによって、銘板の色彩が分かり、ケーブルの種類が認識できる。
【００１５】
特に、銘板の四隅に周囲の辺から隙間を有して小孔が設けられ、小孔を通る結束線によって銘板が各ケーブルに取付けられている場合は、簡単に銘板の取付けができる。
【００１６】
また、結束線をケーブルに装着された銘板の円周方向中央部を除く円周方向両側部をケーブルの表面に押圧するようにした場合は、銘板の円周方向両側の返り（捲り）を極力なくして工事が行える。
【００１７】
そして、結束線をケーブルに装着された銘板の円周方向両側部を除く円周方向中央部をケーブルの表面に押圧するようにした場合は、銘板の中央部を押圧して銘板を確実にケーブルに装着できる。
【００１８】
銘板の表側が異なる色彩に着色された複数の領域に区分されている場合には、更に多種類の銘板ができると共に、その領域への記載事項を特定して幅広い用途が可能である。
なお、以上の考案において、銘板はケーブルに沿って湾曲可能な軟質塩化ビニール又は暗部でも視認性に優れる高輝度蓄光式板であることが好ましく、これによって着色も容易で安価に銘板を製造できる。
【図面の簡単な説明】
【００１９】
【図１】本考案の第１の実施の形態に係るケーブルに設けた敷設ケーブル用管理銘板を示す斜視図である。
【図２】同敷設ケーブル用管理銘板の具体例を示す斜視図である。
【図３】同敷設ケーブル用管理銘板の平面図である。
【図４】本考案の第２の実施の形態に係るケーブルに設けた敷設ケーブル用管理銘板の平面図である。
【考案を実施するための形態】
【００２０】
続いて、添付した図面を参照しながら、本考案を具体化した実施の形態について説明する。
図１〜図３に示すように、本考案の第１の実施の形態に係るケーブル１１に設けた敷設ケーブル用管理銘板（「銘板」とも称する）１０は、ケーブル１１の外周にそって湾曲可能で、例えば、縦が３５〜５０ｃｍで、横が５０〜７０ｃｍの矩形状となっているが、一般には装着するケーブル１１の太さによって異なり、ケーブル１１の円周角３６０度に対して１２０〜１８０度程度の縦寸法が好ましい。横寸法は、縦寸法の約１．２〜１．８倍程度が好ましい。ここで、縦とは銘板１０をケーブル１１に装着した場合、円周方向の長さをいい、横とは銘板１０をケーブル１１に装着した場合ケーブル１０の長さ方向の長さをいう。
【００２１】
銘板１０の厚みは、例えば０．８〜１．２ｍｍ程度となって、軟質塩化ビニール、アクリル等の合成樹脂板、又は高輝度蓄光式板を使用するのが好ましいが、場合によっては、耐水性、耐酸性及び耐アルカリ性を有してある程度屈曲性を有する他の合成樹脂（例えば、ナイロン、ポリプロピレン、フッ素樹脂、ＰＥＥＫ）等であってもよい。
【００２２】
銘板１０の例えば、原料となる樹脂は所定の色に着色されている。この場合、構内例えばトンネル内に並べて配置されるケーブルの種類（例えば、電力線、制御線、通信線、接地線、光ファイバー線等）によって異なる色彩（有彩色）で着色されている。合成樹脂の着色方法は従来技術が使用され、加工顔料（ドライカラー、ビードカラー）法、マスターバッチ（高濃度着色樹脂）法等によって行える。
【００２３】
着色する色は、例えば、高圧電力線ケーブルに使用する銘板については「赤色又はピンク色」、光ファイバー線ケーブルに使用する銘板については「黄色」、接地線のケーブルについては、「緑色」等があるが、できるだけ明るい色にするのが好ましい。この場合の明るさは、カラー色を白黒変換して、反射光を計って白色に対し６０％以上の明るさを有するようにするのが好ましいが、必須の要件ではない。なお、文字の部分又は背景の部分に蛍光、燐光等を発揮する材料（高輝度蓄光材）を使用することもできる。
【００２４】
このように銘板の色彩を明るくすることによって、表面に記載した文字（通常、黒）の色彩が浮き上がり、文字を読む必要がある場合の視認性が増すという利点がある。
なお、銘板１０の四隅には、４つの角部（即ち、周囲の辺）から隙間ｓ（例えば、２．５〜５ｍｍ）を有して直径が３〜５ｍｍの小孔１３〜１６が設けられている。そして、図３に示すように、銘板１０の表面で、両側を除く上位置から下位置にかけて、例えば、１）設備名称、２）ケーブル種別（例えば、「電力線」、「制御線」、「通信線」、「接地線」、「光ファイバー線」と記載）、３）区間名、４）竣工年月、５）会社名等が記載されている。
【００２５】
なお、この１）〜５）のいずれかを省略すること、行を変えること、更に別の記載（文字、記号）を加えることは自由である。また、これらの文字や記号は、銘板１０に彫り込むのが好ましいが、銘板は有彩色で色分けできるので、消えにくい特殊インク（例えば、黒色合成樹脂）等を用いて筆書きであってもよい。
【００２６】
以上の銘板１０に示すような基本的構造を有する銘板１０ａ〜１０ｆを、図２に示すように、並べて配置された複数のケーブル１８〜２３（基本的にはケーブル１１と同様）に樹脂製の結束線（インシュロック（登録商標））２５、２６を用いてそれぞれ固定する。この場合、上下に対となる小孔１３、１４及び小孔１５、１６にそれぞれ結束線２５、２６を通して、かしめ固定する。結束線２５、２６は通常の白色系統のものを使用してもよいが、銘板１０ａ〜１０ｆと同一の色彩のもの、又は銘板１０ａ〜１０ｆの色彩と異なる色彩のものを使用することができる。
【００２７】
ここで、図２においては、結束線２５、２６は銘板１０ａ〜１０ｆの円周方向両端部２８、２９を除く円周方向中央部３０をケーブル１８〜２３に押圧している。これによって、銘板１０ａ〜１０ｆの主要部をケーブル１８〜２３に押圧固定することができるが、場合によっては、図１に示すように結束線２５、２６で銘板１０の円周方向中央部３０を除く、円周方向両端部２８、２９を押圧するようにすることもできる。これによって、銘板１０の円周方向両側部２８、２９をケーブル１１に押圧し、銘板１０の円周方向両端部２８、２９の捲れを防止できる。
【００２８】
図４には、本考案の第２の実施の形態に係るケーブルに設けた敷設ケーブル用管理銘板３３を示すが、複数の領域３４〜３６に渡って異なる色彩の樹脂板が使用されている。異なる色彩の銘板３３を作成することは困難であるので、白色の合成樹脂板からなる裏板の表面に色彩板を貼り付け、又は色彩を有する樹脂を厚く塗布して構成するのが好ましい。
勿論、領域３４〜３６には異なる仕様が記載されている。これによっても、一目でケーブルの種類を確認できる。
【００２９】
本考案は前記した実施の形態に限定されるものではなく、本考案の要旨を変更しない範囲でその構成を変更することもできる。例えば、銘板の縦横の長さ、具体的色彩等が前記実施の形態に限定されない。
前記実施の形態においては、複数種類のケーブルを用いたが、一種類のケーブルのみが配置されて、そのケーブルに上記した記載事項を記載した銘板を設ける場合も本考案は適用される。
【符号の説明】
【００３０】
１０、１０ａ〜１０ｆ：銘板、１１：ケーブル、１３〜１６：小孔、１８〜２３：ケーブル、２５、２６：結束線、２８、２９：円周方向端部、３０：円周方向中央部、３３：銘板、３４〜３６：領域